(57)【特許請求の範囲】
【請求項１】
棟から両側に傾斜する瓦設置面を有する第１屋根部と、前記棟の略延長上に設けられた建物の外壁から片側に傾斜する瓦設置面を有する第２屋根部とが連続して設けられた屋根構造において、棟瓦を前記第１屋根部と前記第２屋根部とに亘って連続して通っているように配置するための棟瓦の取付け構造であって、
前記第２屋根部の瓦設置面を支持する垂木の上端部分を係止するための第２受け材を前記外壁に固定する共に、該第２受け材と直線的に連続させて、前記第１屋根部の両側の瓦設置面を支持する垂木の上端部を係止するための第１受け材を支持固定し、
且つ、前記第２屋根部の第２棟瓦を固定する第２桟木を前記外壁に固定して、該第２桟木に、片側部分が切断除去された前記第２棟瓦の天端部分を固定すると共に、前記第１屋根部の第１棟瓦を固定する第１桟木を、前記第２桟木と直線的に連続させて前記第１受け材の上方で支持固定して、該第１桟木に前記第１棟瓦の天端部分を固定することを特徴とする棟瓦取付け構造。
【請求項２】
前記外壁の下端と前記第２棟瓦の天端部分との間に介在させて、端部を重ね合わせつつ連続配置される前記第２棟瓦の上面の形状に沿った凹凸形状を下端縁部に有する板金部材が設けられていることを特徴とする請求項１記載の棟瓦取付け構造。
【請求項３】
前記第２棟瓦の内部には、前記外壁に支持固定された水切り材が斜め下方に延設して設けられていることを特徴とする請求項１又は２に記載の棟瓦取付け構造。
【発明の詳細な説明】
【０００１】
【発明の属する技術分野】
本発明は棟から両側に傾斜する瓦設置面を有する屋根部と、棟の略延長上に設けられた建物の外壁から片側に傾斜する瓦設置面を有する屋根部とが連続して設けられた屋根構造において、棟瓦を両方の屋根部に亘って連続して通っているように配置するための棟瓦の取付け構造に関する。
【０００２】
【従来の技術及び発明が解決しようとする課題】
棟瓦（がんぶり瓦）は、建物の屋根の頂部を構成する棟を覆うようにして取り付けられる屋根瓦であって、棟瓦が取り付けられる屋根形状は、棟から両側に傾斜する一対の瓦設置面を有しているのが一般的である。一方、建物によっては、例えば図５示すように、一階平屋部分５０が二階建部分５１に接合する構造を有している二階建ての住宅建築物において、一階平屋部分５０の切妻屋根５２の一方の瓦設置面が二階建部分５１の側面の外壁５３に突き当たっていると共に、切妻屋根５２の棟５４の略延長上には正面の奥まった部分の外壁５７が配置され、且つこの外壁５４から片側に傾斜する瓦設置面５５が切妻屋根５２の他方の瓦設置面５６と連続しているような構造を備えている場合がある。
【０００３】
このように、棟５４の略延長上に建物の外壁５７が設けられている場合、当該外壁５７が邪魔になって、棟５４に取り付けられる棟瓦６０を、外壁５７に沿って瓦設置面５５の上端に連続して配置してゆくことが困難である。このため、従来の技術によれば、棟瓦６０を二階建部分５１の側面の外壁５３までに留めて配置し、正面の外壁５４から片側に傾斜する瓦設置面５５の上端には、図６に示すように、のし瓦５８を取り付けると共に、雨押え板金５９を取り付けて水切り機能を持たせるようにしていた。
【０００４】
しかしながら、近年の建物の外観の多様化等に鑑み、外観意匠を向上させた建物として、棟から両側に傾斜する瓦設置面を有する屋根部と、棟の略延長上に設けられた建物の外壁から片側に傾斜する瓦設置面を有する屋根部とが連続して設けられた屋根構造において、棟瓦を両方の屋根部に亘って連続して通っているように配置する建物が要望されているが、このような建物の施工方法等については確立されていないのが現状である。
【０００５】
本発明は、このような従来の課題に着目してなされたもので、棟から両側に傾斜する瓦設置面を有する屋根部と、棟の略延長上に設けられた建物の外壁から片側に傾斜する瓦設置面を有する屋根部とが連続して設けられた屋根構造において、棟瓦を両方の屋根部に亘って連続して通っているように容易に配置することのできる棟瓦の取付け構造を提供することを目的とする。
【０００６】
【課題を解決するための手段】
本発明は、棟から両側に傾斜する瓦設置面を有する第１屋根部と、前記棟の略延長上に設けられた建物の外壁から片側に傾斜する瓦設置面を有する第２屋根部とが連続して設けられた屋根構造において、棟瓦を前記第１屋根部と前記第２屋根部とに亘って連続して通っているように配置するための棟瓦の取付け構造であって、前記第２屋根部の瓦設置面を支持する垂木の上端部分を係止するための第２受け材を前記外壁に固定する共に、該第２受け材と直線的に連続させて、前記第１屋根部の両側の瓦設置面を支持する垂木の上端部を係止するための第１受け材を支持固定し、且つ、前記第２屋根部の第２棟瓦を固定する第２桟木を前記外壁に固定して、該第２桟木に、片側部分が切断除去された前記第２棟瓦の天端部分を固定すると共に、前記第１屋根部の第１棟瓦を固定する第１桟木を、前記第２桟木と直線的に連続させて前記第１受け材の上方で支持固定して、該第１桟木に前記第１棟瓦の天端部分を固定することを特徴とする棟瓦取付け構造を提供することにより、上記目的を達成したものである（請求項１記載の発明）。
【０００７】
また、本発明の棟瓦取付け構造は、前記外壁の下端と前記第２棟瓦の天端部分との間に介在させて、端部を重ね合わせつつ連続配置される前記第２棟瓦の上面の形状に沿った凹凸形状を下端縁部に有する板金部材が設けられていることが好ましい（請求項２記載の発明）。
【０００８】
さらに、本発明の棟瓦取付け構造は、前記第２棟瓦の内部には、前記外壁に支持固定された水切り材が斜め下方に延設して設けられていることが好ましい（請求項３記載の発明）。
【０００９】
【発明の実施の形態】
以下本発明の好ましい実施形態を添付図面を参照しつつ詳細に説明する。本実施形態に係る棟瓦取付け構造は、一例として図１に示すように、一階平屋部分１０が二階建部分１１に接合する構造を有している二階建ての住宅建築物において、一階平屋部分１０の第１屋根部１２と、第１屋根部１２の棟１３の略延長上に配置された二階建部分１１の例えば南側外壁１４から、片側に傾斜して設けられた第２屋根部１５とに亘って、棟瓦１６ａ，１６ｂを連続して通っているように配置するために採用されたものである。
【００１０】
すなわち、本実施形態の棟瓦取付け構造は、図２（ａ）及び（ｂ）にも示すように、棟１３から両側に傾斜する一対の瓦設置面１７，１８を有する切妻屋根である第１屋根部１２と、棟１３の略延長上に設けられた建物の南側外壁１４から片側に傾斜する瓦設置面１９を有する第２屋根部１５とが連続して設けられた屋根構造において、棟瓦１６ａ，１６ｂを第１屋根部１２と第２屋根部１５とに亘って、連続して通っているように配置するための取付け構造である。
【００１１】
そして、本実施形態の棟瓦取付け構造によれば、図３（ａ）及び（ｂ）にも示すように、第２屋根部１５の瓦設置面１９を支持する垂木２０の上端部分を係止するための第２受け材２１ｂを南側外壁１４に固定する共に、この第２受け材２１ｂと直線的に連続させて、第１屋根部１２の両側の瓦設置面１７，１８を支持する垂木２２の上端部を係止するための第１受け材２１ａを支持固定する。また、第２屋根部１５の第２棟瓦１６ｂを固定する第２桟木２３ｂを南側外壁１４に固定して、この第２桟木２３ｂに、片側部分が切断除去された第２棟瓦１６ｂの天端部分を固定すると共に、第１屋根部１２の第１棟瓦１６ａを固定する第１桟木２３ａを、第２桟木２３ｂと直線的に連続させて第１受け材２１ａの上方で支持固定して、この第１桟木２３ａに第１棟瓦１６ａの天端部分を固定する。
【００１２】
第１屋根部１２は、棟１３を挟んで両側に傾斜する一対の瓦設置面１７，１８を有する切妻屋根であって、棟１３の下方に取り付けられた第１受け材２１ａに、両側に傾斜して延設する一対の垂木２２の上端部が係止される。垂木２２の上面には、各々野地板２４が敷設され、これらの野地板２４の表面に屋根瓦２５を縦横に敷き並べることによって、各瓦設置面１７，１８が形成される。なお、一対の瓦設置面１７，１８のうちの一方の瓦設置面１７は、住宅建築物の二階建部分１１の例えば西側外壁２６に突き当たるようにして設けられる。
【００１３】
また本実施形態によれば、第１屋根部１２の垂木２２を支持する第１受け材２１ａは、南側外壁１４と略同一の面に沿って設置した支柱２７に架設される支持梁２８により、その側面を強固に支持された状態で設けられている。これによって第１受け材２１ａは、南側外壁１４に固定される第２屋根部１５の第２受け材２１ｂと直線的に連続させて設けることが可能になる。また、第１棟瓦１６ａを固定する第１桟木２３ａは、両側の野地板２４が交差する第２受け材２１ｂの直上の頂点部分において、野地板２４に取り付けられた桟木固定金具２９を介して第１受け材２１ａの上方に支持固定される。これによって第１桟木２３ａは、南側外壁１４に固定される第２屋根部１５の第２桟木２３ｂと直線的に連続させて設けることが可能になる。そして、第１受け材２１ａの上方に固定された第１桟木２３ａには、略半円弧状の断面形状を有する第１棟瓦１６ａの中央天端部分が固定され、これによって第１棟瓦１６ａは、第１屋根部１２の棟１３を覆って連続配置されることになる。
【００１４】
第２屋根部１５は、第１屋根部１２の瓦設置面１８と連続する瓦設置面１９からなる、南側外壁１４から片側に傾斜する屋根であって、南側外壁１４の壁下地材３０に固定された第２受け材２１ｂに、瓦設置面１９を支持する垂木２０の上端部が係止される。垂木２０の上面には、野地板３１が敷設され、この野地板３１の表面に屋根瓦３２を縦横に敷き並べることによって、瓦設置面１９が形成される。
【００１５】
また本実施形態によれば、第２棟瓦１６ｂを固定するための第２桟木２３ｂが、南側外壁１４を構成する壁下地材３０に沿って取り付けられている。この第２受け材２１ｂには、略半円弧状の断面の中央天端部分を除く片側部分が切断除去された断面形状を有する第２棟瓦１６ｂの当該中央天端部分が固定され、これによって第２棟瓦１６ｂは、瓦設置面１９の上端と南側外壁１４との接合部を覆って連続配置されることになる。
【００１６】
さらに本実施形態によれば、南側外壁１４を構成する壁仕上材３３の下端と第２棟瓦１６ｂの中央天端部分との間に介在させて、紐付き部３４（図４参照）を介して端部を重ね合わせつつ連続配置される第２棟瓦１６ｂの上面の形状に沿った凹凸形状を下端縁部に有する、カラー鉄板等からなる板金部材３５が、壁下地材３０に固定されて設けられている。また第２棟瓦１６ｂの内部には、南側外壁１４の壁下地材３０に支持固定されて、カラー鉄板等からなる水切り材３６が斜め下方に延設して設けられている。なお、第２棟瓦１６ｂの内部には、なんばん漆喰等を充填しておくこともでき、野地板３１の上端と壁下地材３０との接合部にも水切り材を取り付けておくこともできる。
【００１７】
そして、本実施形態の棟瓦取付け構造によれば、第１屋根部１２の上端に設けた第１棟瓦１６ａと、第２屋根部１５の上端に設けた第２棟瓦１６ｂとを、両方の屋根部１２，１５に亘って連続して通っているように容易に配置することができる。すなわち、本実施形態によれば、第１屋根部１２の垂木２２の上端を係止する第１受け材２１ａと、第２屋根部１５の垂木２０の上端を係止する第２受け材２１ｂとが直線的に連続して設けられ、且つ第１屋根部１２の第１棟瓦１６ａを固定する第１桟木２３ａと、第２屋根部１５の第２棟瓦１６ｂを固定する第２桟木２３ｂとが直線的に連続して設けられているので、これらの第１桟木２３ａ及び第２桟木２３ｂに、第１棟瓦１６ａと第２棟瓦１６ｂとを連接して取り付けてゆくことにより、第１屋根部１２と第２屋根部１５とに亘って連続するように棟瓦１６ａ，１６ｂを容易に配置することができ、これによって意匠性に優れた建物の外観を容易に得ることが可能になる。
【００１８】
また、本実施形態によれば、南側外壁１４の下端と第２棟瓦１６ｂの中央天端部分との間に板金部材３５が設けられ、また第２棟瓦１６ｂの内部には、水切り材３６が設けられているので、これらの各々によって、第２棟瓦１６ｂが設けられた南側外壁１４と第２屋根部１５との接合部における止水性を確実に確保することが可能になる。
【００１９】
なお、本発明は上記実施形態に限定されることなく種々の変更が可能である。例えば、本発明の棟瓦取付け構造は、上記構造を有する二階建ての住宅建築物に限定されることなく、棟から両側に傾斜する瓦設置面を有する屋根部と、棟の略延長上に設けられた建物の外壁から片側に傾斜する瓦設置面を有する屋根部とが連続して設けられた、その他の種々の屋根構造において採用することもできる。また第１受け材は、外壁と略同一の面に沿って設置した支柱に架設される支持梁によって支持する必要は必ずしもない。
【００２０】
【発明の効果】
以上詳細に説明したように、本発明の棟瓦取付け構造によれば、棟から両側に傾斜する瓦設置面を有する屋根部と、棟の略延長上に設けられた建物の外壁から片側に傾斜する瓦設置面を有する屋根部とが連続して設けられた屋根構造において、棟瓦を両方の屋根部に亘って連続して通っているように容易に配置することができる。
【図面の簡単な説明】
【図１】本発明の一実施形態に係る棟瓦取付け構造を採用した建物を例示する正面図である。
【図２】本発明の一実施形態に係る棟瓦取付け構造の構成を説明する（ａ）は図１のＡ−Ａに沿った断面図、（ｂ）は図１のＢ−Ｂに沿った断面図である。
【図３】本発明の一実施形態に係る棟瓦取付け構造の構成を説明する（ａ）は図１のＡ−Ａに沿った要部拡大断面図、（ｂ）は図１のＢ−Ｂに沿った要部拡大断面図である。
【図４】外壁の下端と第２棟瓦の天端部分との間に介在する板金部材の取付け状況を説明する正面図である。
【図５】従来の建物における棟瓦の取付け状況を説明する正面図である。
【図６】瓦設置面の上端と外壁との接合部における従来の瓦の取付け状況を説明する斜視図である。
【符号の説明】
１０  一階平屋部分
１１  二階建部分
１２  第１屋根部
１３  棟
１４  南側外壁
１５  第２屋根部
１６ａ  第１棟瓦
１６ｂ  第２棟瓦
１７，１８，１９  瓦設置面
２０，２２  垂木
２１ａ  第１受け材
２１ｂ  第２受け材
２３ａ  第１桟木
２３ｂ  第２桟木
２４，３１  野地板
２５，３２  屋根瓦
２６  西側外壁
２７  支柱
２８  支持梁
２９  桟木固定金具
３０  壁下地材
３３  壁仕上材
３４  紐付き部
３５  板金部材
３６  水切り材
【図１】
0004672929.tif 000002
【図２】
0004672929.tif 000003
【図３】
0004672929.tif 000004
【図４】
0004672929.tif 000005
【図５】
0004672929.tif 000006
【図６】
0004672929.tif 000007